(57)【要約】      （修正有）【課題】複数の可視エリアを形成し、所定のニーズに応じて発光でき、軽薄化と電気エネルギー低消耗化の目的を図る。【解決手段】厚さが２ｍｍ以下の薄型板体２０と、前記薄型板体の少なくともひとつの端縁部に配置される発光素子２１と、前記薄型板体に断続的に分布される複数のパターン・エリア２２とを有する。【選択図】図２
0003100868.tif 000002
【実用新案登録請求の範囲】
【請求項１】
表示装置に利用される複数可視エリアを有する発光薄板において、
２ｍｍ以下の厚さに形成される薄型板体と、
前記薄型板体の前縁部と後縁部と両側縁部の中の少なくとも一者に配置される少なくとも一種の発光素子と、
前記薄型板体に断続的に分布される複数のパターン・エリア同士と、を少なくとも有することを特徴とする複数可視エリアを有する発光薄板。
【請求項２】
前記発光素子として発光ダイオードまたは有機発光ダイオードを使用することを特徴とする請求項１に記載の複数可視エリアを有する発光薄板。
【請求項３】
前記パターン・エリアには一種以上のパターンを有すると共に、それらのパターンには縞や突起や凹みなどを有することを特徴とする請求項１に記載の複数可視エリアを有する発光薄板。
【請求項４】
前記発光素子に近接する前記パターン・エリアの部分がそのパターンのアレンジが疎らになると共に、前記発光素子から遠ざかる前記パターン・エリアの部分がそのパターンのアレンジが密集的になることを特徴とする請求項３に記載の複数可視エリアを有する発光薄板。
【請求項５】
前記発光素子に近接する前記パターン・エリアの部分がそのパターンのサイズが小さくなると共に、前記発光素子から遠ざかる前記パターン・エリアの部分がそのパターンのサイズが大きくなるように設定されることを特徴とする請求項３に記載の複数可視エリアを有する発光薄板。
【請求項６】
前記表示装置におけるパネルには複数の表示エリアを有し、それぞれの表示エリアが前記それぞれのパターン・エリアに対応するように設定されることを特徴とする請求項１に記載の複数可視エリアを有する発光薄板。
【請求項７】
前記表示エリアには所定意義を有する符号や文字や模様などを形成しており、且つ前記表示エリアにはさらにそれらの符号や文字や模様などのアレンジに従って配置される操作ボタンを有することを特徴とする請求項６に記載の複数可視エリアを有する発光薄板。
【考案の詳細な説明】
【技術分野】
【０００１】
本考案は、複数可視エリアを有する発光薄板に係わり、特に構造が簡素化される複数可視エリアを有する発光薄板に関するものである。
【背景技術】
【０００２】
図１に示すように、従来の携帯電話１ａには、本体１０ａと、その本体１０ａに対応するパネル１１ａと、本体１０ａに分布される複数の発光ダイオード２ａとを有し、その中、パネル１１ａには複数の操作ボタン１１１ａが分布しており、発光ダイオード２ａの発光する光線がパネル１１ａを貫通し出し、ユーザーがパネル１１ａより透過し出した前記光線を利用して操作ボタン１１１ａを識別でき、それによって前記従来の携帯電話１ａを順調に使用できるようになっている。
【０００３】
前記のような携帯電話１ａは、複数の発光ダイオード２ａの分布を利用して、そのパネル１１ａにおける複数の操作ボタン１１１ａを透過し出した前記光線によって識別可能にし、しかしながら、応用製品の異なりに従って、例えばファミリ・テレホンやキーボードやポータブル・コンピュータなど、その表示範囲が拡大され、そのため、発光ダイオード２ａが増加される趨勢があり、実際の使用において、明らかに電子製品の軽薄化と電気エネルギー低消耗化の趨勢と逆らう場合がある。
【考案の開示】
【考案が解決しようとする課題】
【０００４】
本考案は、所定のニーズに応じて複数の可視エリアを形成する目的を図れる複数可視エリアを有する発光薄板を提供することをその第一の解決しようとする課題とする。
【０００５】
また、本考案は、軽薄化と電気エネルギー低消耗化の目的を図れる複数可視エリアを有する発光薄板を提供することをその第二の解決しようとする課題とする。
【課題を解決するための手段】
【０００６】
前記の目的を図るために、本考案は、一種の複数可視エリアを有する発光薄板を提供し、それには厚さが２ｍｍ以下の薄型板体と、当該薄型板体の少なくとも一端に配置される少なくとも一種の発光素子と、前記薄型板体に断続的に分布される複数のパターン・エリアとを具備し、それらによって複数の可視エリアを形成する。
【考案の効果】
【０００７】
本考案の複数可視エリアを有する発光薄板による場合、ニーズに応じて光線を発光し、且つ軽薄化と電気エネルギー低消耗化の目的を図ることができる。
【考案を実施するための最良の形態】
【０００８】
図２に示すように、本考案の複数可視エリアを有する発光薄板２は表示装置１に応用され、その表示装置１には本体１０と、その本体１０に対応するパネル１１と、を有しつつ、複数可視エリアを有する薄板２には厚さが２ｍｍ以下の薄型板体２０と、その薄型板体２０の先端部や後端部や両側縁部などの中の少なくとも一つの端縁部に配置される少なくとも一種の発光素子２１と、薄型板体２０に断続的に分布される複数のパターン・エリア２２とを備え、その中、パターン・エリア２２には一種以上の縞や突起や凹みなどのパターンを有し、発光素子２１として発光ダイオード（ＬＥＤ）または有機発光ダイオード（ＯＬＥＤ）などを採用できる。
【０００９】
従来の光線案内板の場合では、それぞれ異なる設計のメッシュ・ドットを制作し、広範的に従来の光線案内板の板体に分布し、その目的は前記従来の光線案内板の板体内の既に全反射する光線を破壊し、光線を従来の光線案内板の板体の中の一つの表面より反射し出させるものであり、従来の光線案内板に均一的にその光線を案内発射する目的を図る。
【００１０】
しかしながら、図３に示すように、本考案による複数可視エリアを有する発光薄板２は、実際のニーズに応じて発光素子２１の発射する光線を薄型板体２０における所定のエリアより導き発射し出させることができ、複数可視エリアの実際のニーズに対応する。本考案は、前記光線を全反射の方式によって薄型板体２０内にロックし、ユーザーが薄型板体２０の外部から観察する場合、その薄型板体２０が光線を釈放していないため、その薄型板体２０が暗い物体であるようなイメージを生じ、そのため、薄型板体２０の複数の予定エリアにパターンを配置し、複数のパターン・エリア２２を形成し、前記光線が反射や屈折などの方式によって異なる前記の複数の予定エリアより導き出射され、ユーザーが薄型板体２０の外部より観察する場合、異なる前記複数の予定エリアの所在を容易に識別でき、その複数可視エリアを有する発光薄板２が複数の所定エリアより前記光線を発光し、且つ複数のパターン・エリア２２を形成する複数可視エリアを有する実際のニーズに応じる目的を図れる。
【００１１】
複数可視エリアを有する発光薄板２は導き出した前記光線の輝度が一致になる場合、発光素子２１に近接するパターン・エリア２２をアレンジが疎らで、サイズが小さく形成されるパターンに設定することができ、且つ発光素子２１に遠ざかるパターン・エリア２２を密集的にアレンジすると共に、そのサイズを拡大するパターンにすることができる。
【００１２】
また、表示装置１のパネル１１には複数の表示エリアが配置され、それぞれがパターン・エリア２２に対応され、前記表示エリアには所定意味を有する符号や文字や模様などを有し、その表示エリアにはそれらの符号や文字や模様などに対応する操作ボタン１１１を配置できる。図２に示すように、表示装置１として携帯電話を採用し、複数可視エリアを有する発光薄板２に携帯電話のパネル１１に配置される操作ボタン１１１の複数の予め設定されるエリアを合わせて少なくとも一種のパターンを設けると、操作ボタン１１１が光線を導き出すため、識別性と容易操作性を有するようになる。
【００１３】
前記の実施例において、表示装置１として携帯電話に限らず、ポータブル・コンピュータやファミリ・テレホンやデスクトップ・コンピュータにおけるキーボードやパーソナル・デジタル・アシスタント（ＰＤＡ）や情報家庭電気システムなどにも適用できる。
【産業上の利用可能性】
【００１４】
本考案の複数可視エリアを有する発光薄板２は、薄型板体２０における複数の予定エリアに一種以上のパターンを配置し、そのパターンによって光線を案内し、実際のニーズに応じて所定のエリアより前記光線を発光するニーズを満足し、複数可視エリアのニーズに対応できる。そのため、複数可視エリアを有する発光薄板２の薄型板体２０の厚さが２ｍｍ以下にすることができ、複数可視エリアを有する発光薄板２の軽薄化の目的を図ることができ、且つその複数可視エリアを有する発光薄板２は単に一つの発光素子２１を要し、それだけで複数可視エリアのニーズを満足でき、コストダウンと電気エネルギー低消耗化の目的を図れる。
【００１５】
前記に説明したように、本考案は、予期した目的と効果を達成できるが、前記に掲げた具体的な技術内容が単に本考案の実施可能な実施例に過ぎず、いずれの本考案の要旨と特徴に基づいて実施される修飾と変更などはすべて本考案の主張範囲内に入る。
【図面の簡単な説明】
【００１６】
【図１】従来の携帯電話を示す説明図である。
【図２】本考案の複数可視エリアを有する発光薄板の応用状態を示す説明図である。
【図３】本考案の複数可視エリアを有する発光薄板の一部の部分を示す説明図である。
【符号の説明】
【００１７】
１      表示装置
２      複数可視エリアを有する発光薄板
１０    本体
１１    パネル
２０    薄型板体
２１    発光素子
２２    パターン・エリア
１１１  操作ボタン
【図１】
0003100868.tif 000003
【図２】
0003100868.tif 000004
【図３】
0003100868.tif 000005